(57)【要約】      （修正有）【課題】使用者が常に電池を交換する必要があるという問題点を解決することができる、無線受電可能な電子装置及びその無線電力構造を提供する。【解決手段】無線電力構造１は、電源接点収容室８１を有する電子装置の主体に結合するのに用いられる。無線電力構造１は、無線電力受電部１０及びハウジング２０を含む。無線電力受電部１０は、回路基板１１及び誘導コイル１２を含む。誘導コイル１２は、回路基板１１に電気的に接続されるように回路基板１１の上に設置される。回路基板１１には二本の電線１１１が設けられる。ハウジング２０の形状は、電源接点収容室８１に対応する。ハウジング２０は、電源接点収容室８１の正極に対応する正極部２１及び電源接点収容室８１の負極に対応する負極部２２を備える。二本の電線１１１は、正極部２１及び負極部２２にそれぞれ電気的に接続される。【選択図】図１
0003188633.tif 000002
【実用新案登録請求の範囲】
【請求項１】
電源接点収容室を有する電子装置の主体に結合するのに用いられる無線電力構造であって、
二本の電線が設けられる回路基板と、前記回路基板に電気的に接続されるように前記回路基板の上に設置される誘導コイルと、を含む無線電力受電部と、
その形状が前記電源接点収容室に対応しており、前記電源接点収容室の正極に対応する正極部及び前記電源接点収容室の負極に対応する負極部を備えるハウジングと、
を備え、
前記二本の電線は、前記正極部及び前記負極部にそれぞれ電気的に接続されることを特徴とする無線電力構造。
【請求項２】
前記二本の電線は、前記ハウジングの内部から前記正極部及び前記負極部の外表面にそれぞれ挿通するように前記ハウジングを共同で挿通することを特徴とする請求項１に記載の無線電力構造。
【請求項３】
前記ハウジングは、円筒状を呈しており、その円筒体に電線挿通孔が設けられ、
前記正極部及び前記負極部は、前記ハウジングの両端面にそれぞれ設置しており、金属片をそれぞれ有し、
前記二本の電線は、前記電線挿通孔を挿通し、前記正極部の前記金属片及び前記負極部の前記金属片にそれぞれ接触することを特徴とする請求項２に記載の無線電力構造。
【請求項４】
その形状が前記電源接点収容室に対応するカバー板をさらに含み、
前記無線電力受電部は、前記ハウジングと前記カバー板との間に設置され、
前記誘導コイルは前記回路基板における前記カバー板に近い一面に設置され、
前記回路基板における前記カバー板に近い一面には粘着部が設けられることを特徴とする請求項２に記載の無線電力構造。
【請求項５】
前記回路基板の形状は前記電源接点収容室に対応することを特徴とする請求項２に記載の無線電力構造。
【請求項６】
その外表面に正極及び負極を備える電源接点収容室が設けられる主体と、
二本の電線が設けられる回路基板及び前記回路基板に電気的に接続されるように前記回路基板の上に設置される誘導コイルを含む無線電力受電部と、その形状が前記電源接点収容室に対応しており、前記電源接点収容室の正極に対応する正極部及び前記電源接点収容室の負極に対応する負極部を備えるハウジングと、を含む無線電力構造と、
を含み、
前記二本の電線は、前記正極部及び前記負極部にそれぞれ電気的に接続されることを特徴とする無線受電可能な電子装置。
【請求項７】
前記主体はペット玩具であることを特徴とする請求項６に記載の無線受電可能な電子装置。
【考案の詳細な説明】
【技術分野】
【０００１】
本考案は、電力構造に関し、特に無線受電可能な電力構造に関する。
【背景技術】
【０００２】
現在、人々は玩具に対する要求が高まりつつある。人間と交流できるような機能を有する玩具が期待されている。そこで、当業者は、外部環境の情報に応じて対応できるペット玩具を提供するようにしている。ペット玩具は、人間との交流によって玩具としての趣味を向上することができるだけではなく、ペットのように人間の心を癒すという付き合い役目も果たす。
【０００３】
しかしながら、このようなペット玩具は、消耗する電力が多いため、ペット玩具内部に設置された電池を常に交換しなければならない。更に、電池を交換した後、ペット玩具を改めて設定する必要があるため、使用者に不便をもたらしている。
【０００４】
そこで、本考案の出願人は、上記の問題点を改善するために、鋭意検討を行なった結果、合理的な設計で且つ上記の問題点を有効に改善する本考案を完成するに至った。
【考案の概要】
【考案が解決しようとする課題】
【０００５】
本考案は、使用者が常に電池を交換する必要があるという問題点を解決することができる、無線受電可能な電子装置及びその無線電力構造を提供することを課題とする。
【課題を解決するための手段】
【０００６】
本考案に係る無線電力構造は、電源接点収容室を有する電子装置の主体に結合するのに用いられる。無線電力構造は、無線電力受電部（ｗｉｒｅｌｅｓｓ ｐｏｗｅｒ ｒｅｃｅｉｖｅｒ）及びハウジングを含む。無線電力受電部は、回路基板及び誘導コイル（ｉｎｄｕｃｔｉｏｎ ｃｏｉｌ）を含む。誘導コイルは、回路基板に電気的に接続されるように回路基板の上に設置される。回路基板には二本の電線が設けられる。ハウジングの形状は、電源接点収容室に対応する。ハウジングは、電源接点収容室の正極に対応する正極部及び電源接点収容室の負極に対応する負極部を備える。二本の電線は、正極部及び負極部にそれぞれ電気的に接続される。
【０００７】
本考案に係る無線受電可能な電子装置は主体及び無線電力構造を含む。主体の外表面には電源接点収容室が設けられる。電源接点収容室は正極及び負極を備える。無線電力構造は、無線電力受電部及びハウジングを含む。無線電力受電部は、回路基板及び誘導コイルを含む。誘導コイルは、回路基板に電気的に接続されるように回路基板の上に設置される。回路基板には二本の電線が設けられる。ハウジングの形状は、電源接点収容室に対応する。ハウジングは、電源接点収容室の正極に対応する正極部及び電源接点収容室の負極に対応する負極部を備える。二本の電線は、正極部及び負極部にそれぞれ電気的に接続される。
【考案の効果】
【０００８】
本考案に係る無線電力構造によれば、ハウジングの形状が電源接点収容室に対応するため、電子装置の主体にとって元のモールドを変更することなく、無線電力モジュールは直接に従来の電池に取って代わることができる。
【図面の簡単な説明】
【０００９】
【図１】本考案に係る無線受電可能な電子装置の分解模式図である。
【図２】本考案に係る無線受電可能な電子装置の他の角度から見た分解模式図である。
【図３】本考案に係る無線受電可能な電子装置の他の実施例の立体模式図である。
【図４】本考案に係る無線受電可能な電子装置の組立模式図である。
【考案を実施するための形態】
【００１０】
以上の本考案の内容に関する説明及び以下の実施形態の説明は、本考案の原理を例示的に解説するとともに、本考案の実用新案登録請求の範囲について更なる解説を提供するものに過ぎない。
【００１１】
図１に示すように、本考案に係る無線受電可能な電子装置８（以下、電子装置８と称する）を提供する。電子装置８が無線給電板９の上に設置されると、電子装置８は無線給電板９により無線給電される。
【００１２】
図１及び図２に示すように、本考案に係る電子装置８は主体８０及び無線電力構造１を含む。無線電力構造１は、その一部が主体８０の外表面に露出されるように主体８０に設置される。無線電力構造１の詳細な構造については後述する。本考案において、主体８０はペット玩具である。主体８０の内部は、マイクロプロセッサユニット８２、動作執行ユニット８４及び情報受信ユニット８３が設けられる。ペット玩具は、情報受信ユニット８３により外部環境からの例えば音声、温度又は接触などの情報を受信し、情報受信ユニット８３により信号をマイクロプロセッサユニット８２に伝送し、マイクロプロセッサユニット８２により動作執行ユニット８４の作動を制御するようにしている。製造メーカーは、ペット玩具を外部環境の情報に応じて目を瞬いたり音声を発したり移動をさせたりするようにペット玩具の構造を設計することがであるが、これに限定されていない。また、主体８０は、平面上に長時間に置かれたり途切れずに連続に給電されたりする必要のある例えばマウス、ロボット、電話などの電子装置であってもよい。
【００１３】
主体８０における無線給電板９に近い一側には電源接点収容室８１が設けられる。電源接点収容室８１は正極８１１及び負極８１２を有する。正極８１１及び負極８１２の位置は、電源接点収容室８１の筐体における電池収容孔の形状に応じて設置される。電源接点収容室８１は、無線電力構造１を電源接点収容室８１の内部に収容するための開口８１３を有する。
【００１４】
図１及び図２に示すように、無線電力構造１は、無線電力受電部１０及びハウジング２０を含む。無線電力受電部１０はハウジング２０に接続される。また、無線電力受電部１０は、回路基板１１及び誘導コイル１２を含む。誘導コイル１２は、回路基板１１に電気的に接続されるように回路基板１１の一面に設置される。回路基板１１には二本の電線１１１が設けられる。二本の電線１１１は、正極電圧及び負極電圧をそれぞれ提供する。
【００１５】
ハウジング２０の形状は、ハウジング２０が電源接点収容室８１にぴったりと嵌められることができるように電源接点収容室８１の開口８１３に対応する。ハウジング２０は、例えばプラスチックなどの絶縁材質で製作したものであるため、ユーザーがハウジング２０を設置する際に感電する恐れがない。ハウジング２０には電線挿通孔２３、正極部２１及び負極部２２が設けられる。正極部２１の位置は電源接点収容室８１の正極８１１に対応し、負極部２２の位置は電源接点収容室８１の負極８１２に対応する。本考案の実施例において、電源接点収容室８１がそもそもアルカリ電池を装着するためのものであるため、ハウジング２０の形状はアルカリ電池の形状と大体同じで、円筒状を呈している。また、正極部２１と負極部２２はハウジング２０の両端面にそれぞれ位置する。電線挿通孔２３はハウジング２０の円筒体に設けられる。
【００１６】
回路基板１１の二本の電線１１１は電線挿通孔２３を共同で挿通することによって、正極の電線１１１及び負極の電線１１１がハウジング２０の内部に共同で設置される。二本の電線１１１のそれぞれの一端は、ハウジング２０の正極部２１及び負極部２２にそれぞれ接続される。本考案の実施例において、ハウジング２０の正極部２１及び負極部２２のそれぞれの外表面には金属片２１１、２１２が設けられる。二本の電線１１１はハウジング２０をそれぞれ挿通して二つの金属片２１１、２１２にそれぞれ接触することによって、正極部２１及び負極部２２に電流が流れることができる。また、電線１１１はハウジング２０をそれぞれ挿通して正極部２１及び負極部２２の外表面にそれぞれ設置されるようにしてもよく、特に制限がない。また、二本の電線１１１は、ハウジング２０の外表面から正極部２１及び負極部２２にそれぞれ巻き取られるようにしてもよい。
【００１７】
図３に示すように、本考案の他の実施例において、電源接点収容室８１の形状がボタン電池に対応するため、ハウジング２０の形状はボタン電池と大体同じで、扁平円筒状を呈している。負極部２２はハウジング２０の一方の端面に位置し、正極部２１はハウジング２０の残りの外表面に位置する。電線挿通孔２３はハウジング２０の他方の端面に設けられる。
【００１８】
図１及び図２に示すように、無線電力構造１は主体８０の電源接点収容室８１の内部に設置される。ハウジング２０は開口８１３に嵌められる。無線電力受電部１０は電源接点収容室８１における外表面に近い位置に設置される。よい誘導効果が得るために、回路基板１１における誘導コイル１２が設けられる一面は外側に向けている。
【００１９】
本考案において、無線電力構造１は、カバー板３０を含む。無線電力受電部１０は、カバー板３０と主体８０との間に設置される。カバー板３０の形状は、電源接点収容室８１を閉鎖することができるように電源接点収容室８１に対応する。更に、係止部又はねじなどの固定構造により、カバー板３０と主体８０を相互に固定する。回路基板１１におけるカバー板３０に近い一面には、無線電力受電部１０をカバー板３０の上に粘着させるための粘着部１１２が設けられる。また、回路基板１１がカバー板３０を主体８０に固定させる役目を果たすように、無線電力受電部１０の回路基板１１の外形は電源接点収容室８１に対応するようにしてもよい。
【００２０】
図４に示すように、電子装置８が無線給電板９の上に設置されると、誘導コイル１２は無線給電板９を介して電磁効果を生成することによって、電流を生成する。誘導コイル１２が生成した電流は、回路基板１１、電線１１１、ハウジング２０における正極部２１及び負極部２２を介して電源接点収容室８１における正極及び負極までに流れることによって、電力を主体８０におけるマイクロプロセッサユニット８２、動作執行ユニット８４及び情報受信ユニット８３に提供する。
【００２１】
本考案に係る無線受電可能な電子装置及びその無線電力構造によれば、下記のメリットを有する。ハウジングの形状が電源接点収容室に対応するため、電子装置の主体にとって元のモールドを変更することなく、無線電力モジュールは直接に従来の給電方式に取って代わることができる。また、回路基板における誘導コイルが設けられる一面は外側に向けていることによって、無線電力構造は無線給電板を検知する効果をより向上することができる。
【００２２】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００２３】
１  無線電力構造
１０  無線電力受電部
１１  回路基板
１１１  電線
１１２  粘着部
１２  誘導コイル
２０  ハウジング
２１  正極部
２１１  金属片
２２  負極部
２１２  金属片
２３  電線挿通孔
３０  カバー板
８  無線受電可能な電子装置
８０  主体
８１  電源接点収容室
８１１  正極
８１２  負極
８１３  開口
８２  マイクロプロセッサユニット
８３  情報受信ユニット
８４  動作執行ユニット
９  無線給電板
【図１】
0003188633.tif 000003
【図２】
0003188633.tif 000004
【図３】
0003188633.tif 000005
【図４】
0003188633.tif 000006